【手続補正書】
【提出日】平成19年8月30日(2007.8.30)
【手続補正１】
【補正対象書類名】明細書
【補正対象項目名】発明の名称
【補正方法】変更
【補正の内容】
【発明の名称】要介護認定業務支援システム
【手続補正２】
【補正対象書類名】明細書
【補正対象項目名】特許請求の範囲
【補正方法】変更
【補正の内容】
【特許請求の範囲】
【請求項１】被保険者からの要介護認定申請を受付け、審査会資料作成業務を行う要介護認定支援システムにおいて、
関係機関により提示される、要介護区分ごとに示された複数の状態像例のパターンを記憶したデータベースと、
審査対象となる基本調査項目の調査結果に類似した前記パターンを持つ状態像を前記データベースから検索し、類似度の高い少なくとも１つの状態像例を抽出する手段と、
前記審査対象となる基本調査項目の調査結果と前記抽出した状態像のそれぞれに対するレーダーチャートを作成する手段と、
この作成したそれぞれのレーダーチャートを重ね合わせて表示する手段と、
を具備したことを特徴とする要介護認定支援システム。
【請求項２】前記基本調査項目のレーダーチャートに類似したレーダーチャートを持つ状態像は、類似パラメータ＝｛（第ｎ群の中間評価得点−ｍ番目状態像の第ｎ群の中間評価得点）のｎについての２乗和の平方根｝／７（但しｎ＝１から７、ｍ＝１から６０）の計算式に基づいて類似パラメータを求め類似パラメータが小さい順にＰ個（Ｐは１以上）のパターンを求めることを特徴とする請求項1記載の要介護認定支援システム。
【請求項３】被保険者からの要介護認定申請を受付け、審査会資料作成業務を行う要介護認定支援システムにおいて、
基本調査項目の調査結果を編集するための基本調査結果編集画面を表示する手段と、
前記基本調査結果編集画面に表示された基本調査編集項目を変更する手段と、
変更後の基本調査項目の調査結果に基づいて一次判定を再計算する手段と、
前記一次判定を再計算する手段の計算結果に基づいて基本調査項目画面を表示する手段と、
前記１次再計算前の基本調査項目画面と、１次判定再計算後の基本調査項目画面を切替え表示する手段と、
を具備したことを特徴とする要介護認定支援システム。
【請求項４】被保険者からの要介護認定申請を受付け審査会資料作成業務を行う要介護認定支援システムにおいて、
審査会における審査結果データであって、少なくとも基本調査項目に対する調査結果と特記事項と主治医意見書と審査会記録とから構成される審査結果データを蓄積したデータベースと、
今回の審査対象者の基本調査項目の調査結果の全てと同一の基本調査項目の調査結果を有する申請者を前記データベースから抽出する手段と、
前記抽出した申請者の特記事項及び主治医意見書及び審査会記録に関するデータを前記今回の審査対象者のデータと関連づけて記憶する手段と、
審査会において、所定の入力操作に応答して前記抽出した申請者の特記事項及び意見書と今回の申請者の特記事項及び意見書とを関連づけて表示させる手段と、
を具備したことを特徴とする要介護認定支援システム。
【請求項５】被保険者からの要介護認定申請を受付け、審査会資料作成業務を行う要介護認定支援システムにおいて、
関係機関により提示される、要介護区分ごとに示された複数の状態像の例のパターンを記憶したデータベースと、
前記複数の状態像の中から任意の状態像例のパターンを選択する選択手段と、
審査対象となる基本調査項目の調査結果と前記選択した状態像のそれぞれに対するレーダーチャートを作成する手段と、
この作成したそれぞれのレーダーチャートを重ね合わせて表示する手段と、
を具備したことを特徴とする要介護認定支援システム。
【請求項６】前記表示する手段は、前記選択手段によって選択された複数の状態像例のパターンを同一画面内に表示することを特徴とする請求項５記載の要介護認定支援システム。
【請求項７】前記選択手段により選択された複数の状態像例から、審査対象となる基本調査項目の調査結果の状態像と類似度の高い少なくとも１つの状態像例を抽出する手段と
前記同一画面内に表示された複数の状態像例のパターンの中で、前記抽出手段により抽出された状態像例のパターンを明示的に表示する手段をさらに有したことを特徴とする請求項６に記載の要介護認定支援システム。
【請求項８】被保険者からの要介護認定申請を受付け審査会資料作成業務を行う要介護認定支援システムにおいて、
所定のカテゴリのすべての基本調査項目の調査結果を同一画面内に表示する手段と、
前記表示する手段により表示された基本調査項目の調査結果のうち編集したい項目を選択する手段と、
前記選択する手段により選択された項目の調査結果の内容をポップアップ表示する手段
と、
前記ポップアップ表示にもとづいて調査結果の内容を編集する手段と、
前記編集された調査結果の項目を色を用いて明示的に表示する手段と、
変更後の基本調査項目の調査結果に基づいて一次判定を再計算するための指示手段を前記画面内に表示する手段と、
前記指示手段の選択に応答して一次判定の再計算結果を表示する手段と、
を具備したことを特徴とする要会議認定支援システム。
【請求項９】被保険者からの要介護認定申請を受付け、審査会資料作成業務を行う要介護認定支援システムにおいて、
関係機関により提示される、要介護区分ごとに示された複数の状態像の例のパターンを数値化して記憶したデータベースと、
審査対象となる基本調査項目の調査結果の全調査項目に類似した状態像を持つパターンを前記データベースから検索し、類似度の高い少なくとも１つの状態像例を抽出する手段と、
前記抽出した類似状態像検索結果を表示する手段と、
を具備したことを特徴とする要介護認定支援システム。
【請求項１０】申請者の基本調査項目の調査結果を数値化する手段と、
申請者の所定のカテゴリ毎の基本調査項目の各々について調査結果と、前記データベースに保持された数値化された状態像例のパターンとの差分の２乗を取り、その合計を取ることにより前記各パターンの状態像例の名称、類似度、前記カテゴリ毎の各基本調査項目の整合数及び全カテゴリの基本調査項目についての整合数を表示する手段と、
を有することを特徴とする請求項９記載の要介護認定支援システム。
【請求項１１】前記状態像例の名称、類似度、カテゴリ毎の各基本調査項目の整合数及び全カテゴリの基本調査項目についての整合数のうちの任意のフィールドをソートする手段を有することを特徴とする請求項１０記載の要介護認定支援システム。
【請求項１２】前記表示手段は、前記カテゴリ毎の各基本調査項目の整合数表示及び全カテゴリの基本調査項目についての整合数の表示において整合の割合が所定しきい値以上の場合、その表示を他の表示と異ならせることを特徴とする請求項１０記載の要介護認定支
援システム
【請求項１３】前記表示する手段は、整合の割合が所定しきい値以上の場合、異なる色またはフォントサイズを異ならせて表示することを特徴とする請求項１２記載の要介護認定支援システム。
【請求項１４】被保険者からの要介護認定申請を受付け、審査会作成業務を行う要介護認定支援システムにおいて、
過去に要介護認定申請を行った被保険者の基本調査項目の調査結果を数値化して記憶したデータベースと、
審査対象となる申請者の基本調査項目の調査結果に類似した数値パターンを持つ前記過去に要介護認定申請を行った被保険者を前記データベースから検索し、類似度の高い少なくとも１つの過去に要介護認定申請を行った被保険者の調査結果を抽出する手段と、
前記抽出した調査結果を表示する手段と、
を具備したことを特徴とする要介護認定支援システム。
【請求項１５】申請者の基本調査項目の調査結果を数値化する手段と、
申請者の基本調査項目の各々について調査結果と、前記データベースに保持された数値化された過去に要介護認定申請を行った被保険者の基本調査項目の調査結果との差分の２乗を取り、その合計を取ることにより、過去に要介護認定申請を行った被保険者の情報及び基本調査項目の整合数の合計を表示する手段を含むことを特徴とする請求項１４記載の要介護認定支援システム。
【請求項１６】前記算出した類似度のうち、あるしきい値以上または以下のしきい値を有する過去に要介護認定申請を行った被保険者を表示する手段を有することを特徴とする請求項１５載の要介護認定支援システム。
【請求項１７】前記しきい値を任意に可変設定する手段を有することを特徴とする請求項１２または１６記載の要介護認定支援システム。
【手続補正３】
【補正対象書類名】明細書
【補正対象項目名】０００１
【補正方法】変更
【補正の内容】
【０００１】
【発明の属する技術分野】
この発明は要介護認定業務を公正にかつ迅速・効率的に行うための要介護認定支援システムに関する。
【手続補正４】
【補正対象書類名】明細書
【補正対象項目名】０００７
【補正方法】変更
【補正の内容】
【０００７】
本発明は上記事情を考慮してなされたもので、その目的は、要介護認定業務を公正にかつ迅速・効率的に行うための要介護認定業務支援システムを提供することである。
【手続補正５】
【補正対象書類名】明細書
【補正対象項目名】０００８
【補正方法】変更
【補正の内容】
【０００８】
上記目的を達成するために、この発明によれば、被保険者からの要介護認定申請を受付け、審査会資料作成業務を行う要介護認定支援システムにおいて、関係機関により提示される、要介護区分ごとに示された複数の状態像例のパターンを記憶したデータベースと、審査対象となる基本調査項目の調査結果に類似した前記パターンを持つ状態像を前記データベースから検索し、類似度の高い少なくとも１つの状態像例を抽出する手段と、前記審査対象となる基本調査項目の調査結果と前記抽出した状態像のそれぞれに対するレーダーチャートを作成する手段と、この作成したそれぞれのレーダーチャートを重ね合わせて表示する手段とを具備したことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
また、この発明によれば、被保険者からの要介護認定申請を受付け、審査会資料作成業務を行う要介護認定支援システムにおいて、基本調査項目の調査結果を編集するための基本調査結果編集画面を表示する手段と、前記基本調査結果編集画面に表示された基本調査編集項目を変更する手段と、変更後の基本調査項目の調査結果に基づいて一次判定を再計算する手段と、前記一次判定を再計算する手段の計算結果に基づいて基本調査項目画面を表示する手段と、前記１次再計算前の基本調査項目画面と、１次判定再計算後の基本調査項目画面を切替え表示する手段とを具備したことを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１８
【補正方法】変更
【補正の内容】
【００１８】
また、この発明によれば、被保険者からの要介護認定申請を受付け審査会資料作成業務を行う要介護認定支援システムにおいて、審査会における審査結果データであって、少なくとも基本調査項目に対する調査結果と特記事項と主治医意見書と審査会記録とから構成される審査結果データを蓄積したデータベースと、今回の審査対象者の基本調査項目の調査結果の全てと同一の基本調査項目の調査結果を有する申請者を前記データベースから抽出する手段と、前記抽出した申請者の特記事項及び主治医意見書及び審査会記録に関するデータを前記今回の審査対象者のデータと関連づけて記憶する手段と、審査会において、所定の入力操作に応答して前記抽出した申請者の特記事項及び意見書と今回の申請者の特記事項及び意見書とを関連づけて表示させる手段とを具備したことを特徴とする。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２２
【補正方法】変更
【補正の内容】
【００２２】
また、この発明によれば、被保険者からの要介護認定申請を受付け、審査会資料作成業務を行う要介護認定支援システムにおいて、関係機関により提示される、要介護区分ごとに示された複数の状態像の例のパターンを記憶したデータベースと、前記複数の状態像の中から任意の状態像例のパターンを選択する選択手段と、審査対象となる基本調査項目の調査結果と前記選択した状態像のそれぞれに対するレーダーチャートを作成する手段と、この作成したそれぞれのレーダーチャートを重ね合わせて表示する手段とを具備したことを特徴とする。
【手続補正１７】
【補正対象書類名】明細書
【補正対象項目名】００２３
【補正方法】変更
【補正の内容】
【００２３】
また、この発明によれば、被保険者からの要介護認定申請を受付け審査会資料作成業務を行う要介護認定支援システムにおいて、所定のカテゴリのすべての基本調査項目の調査結果を同一画面内に表示する手段と、前記表示する手段により表示された基本調査項目の調査結果のうち編集したい項目を選択する手段と、前記選択する手段により選択された項目の調査結果の内容をポップアップ表示する手段と、前記ポップアップ表示にもとづいて調査結果の内容を編集する手段と、前記編集された調査結果の項目を色を用いて明示的に表示する手段と、変更後の基本調査項目の調査結果に基づいて一次判定を再計算するための指示手段を前記画面内に表示する手段と、前記指示手段の選択に応答して一次判定の再計算結果を表示する手段とを具備したことを特徴とする。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
また、この発明によれば、被保険者からの要介護認定申請を受付け、審査会資料作成業務を行う要介護認定支援システムにおいて、関係機関により提示される、要介護区分ごとに示された複数の状態像の例のパターンを数値化して記憶したデータベースと、審査対象となる基本調査項目の調査結果の全調査項目に類似した状態像を持つパターンを前記データベースから検索し、類似度の高い少なくとも１つの状態像例を抽出する手段と、前記抽出した類似状態像検索結果を表示する手段とを具備したことを特徴とする。
【手続補正２３】
【補正対象書類名】明細書
【補正対象項目名】００２９
【補正方法】変更
【補正の内容】
【００２９】
また、この発明によれば、被保険者からの要介護認定申請を受付け、審査会作成業務を行う要介護認定支援システムにおいて、過去に要介護認定申請を行った被保険者の基本調査項目の調査結果を数値化して記憶したデータベースと、審査対象となる申請者の基本調査項目の調査結果に類似した数値パターンを持つ前記過去に要介護認定申請を行った被保険者を前記データベースから検索し、類似度の高い少なくとも１つの過去に要介護認定申請を行った被保険者の調査結果を抽出する手段と、前記抽出した調査結果を表示する手段とを具備したことを特徴とする。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】